(57)【特許請求の範囲】
【請求項１】
受話口を少なくとも設けた筐体に、画像を撮影する撮影手段を設けた携帯端末装置であって、
前記撮影手段は、
前記筐体の側面で、前記受話口と略同一の高さにある箇所に、
前記筐体の側面の長手方向と平行な回動軸を中心として回動可能に、且つ、前記回動軸と前記撮影手段とのなす角度が変更可能に設けられており、
前記撮影手段は、前記筐体の側面の長手方向と平行な回動軸を有する円柱形状の回転台の上面に設けられた可変台の上面に取り付けられており、
前記回転台の下面には、前記回転台の半径よりも大きい半径の支持部を有し、
前記筐体には、前記回転台の半径と略同一の半径の開口が設けられており、前記開口が設けられた筐体内に前記支持部が嵌め込まれて、前記開口から前記回転台が突出し、前記回転台が前記回動軸を中心として回動可能になることで、前記撮像手段が前記回動軸を中心として回動可能になり、
前記可変台が１組の向かい合う辺の中点を結んだ軸により前記回転台に揺動可能に軸支され、前記可変台が前記軸を中心として揺動可能になることで、前記回動軸と前記撮影手段とのなす角度が変更可能になることを特徴とする携帯端末装置。
【請求項２】
受話口を少なくとも設けた筐体に、画像を撮影する撮影手段を設けた携帯端末装置であって、
前記撮影手段は、
前記筐体の側面で、前記受話口と略同一の高さにある箇所に、
前記筐体の側面の長手方向と平行な回動軸を中心として回動可能に、且つ、前記回動軸と前記撮影手段とのなす角度が変更可能に設けられており、
前記撮影手段は、前記筐体の側面の長手方向と平行な回動軸を有する円柱形状の回転台の上面に設けられた支持板に取り付けられており、
前記回転台の下面には、前記回転台の半径よりも大きい半径の支持部を有し、
前記筐体には、前記回転台の半径と略同一の半径の開口が設けられており、前記開口が設けられた筐体内に前記支持部が嵌め込まれて、前記開口から前記回転台が突出し、前記回転台が前記回動軸を中心として回動可能になることで、前記撮像手段が前記回動軸を中心として回動可能になり、
前記支持板が前記撮像手段の両端を支持し、該支持した両端を回転軸として前記撮像手段が回動可能になることで、前記回動軸と前記撮影手段とのなす角度が変更可能になることを特徴とする携帯端末装置。
【請求項３】
前記回転台の側面は、等間隔に溝が形成されたダイヤル形状であることを特徴とする請求項１または２記載の携帯端末装置。
【請求項４】
前記撮影手段及び前記回転台は、前記筐体の受話口近傍の角を刳り貫いて形成した空間に収まって設けられていることを特徴とする請求項１から３のいずれか１項に記載の携帯端末装置。
【請求項５】
前記撮影手段及び前記回転台は、前記受話口と略同一の高さにある前記筐体の側面部をコの字型に刳り貫いて形成した空間に収まって設けられていることを特徴とする請求項１から３のいずれか１項に記載の携帯端末装置。
【請求項６】
前記回動軸を中心として回動する前記撮影手段の回動量と、前記回動軸と前記撮像手段とのなす角度と、を制御する制御手段を有することを特徴とする請求項１から５のいずれか１項に記載の携帯端末装置。
【請求項７】
前記制御手段は、所定のキー入力を検知した場合は、前記撮影手段のレンズ面が前記筐体の側面方向を向くように、且つ、水平方向となるように制御することを特徴とする請求項６記載の携帯端末装置。
【請求項８】
前記撮像手段で撮像した撮影方向を予め記憶する記憶手段を更に有し、
前記制御手段は、所定のキー入力を検知した場合に、前記記憶手段に予め記憶した前記撮影方向を前記撮像手段で再現するように、前記回動軸を中心として回動する前記撮影手段の回動量と、前記回動軸と前記撮像手段とのなす角度と、を制御することを特徴とする請求項６記載の携帯端末装置。
【請求項９】
通信網を介してコマンドが入力された場合に、
前記制御手段は、前記回動軸を中心として回動する前記撮影手段の回動量と、前記回動軸と前記撮像手段とのなす角度と、を制御し、前記携帯端末装置の周囲の映像を撮影し、該撮影した画像を前記コマンドの入力元に送り返すことを特徴とする請求項６から８のいずれか１項に記載の携帯端末装置。
【発明の詳細な説明】
【技術分野】
【０００１】
本発明は、携帯端末装置に関し、特にＴＶ電話機能に対応したカメラ付き携帯端末装置に関する。
【背景技術】
【０００２】
近年、携帯端末装置としてＴＶ電話機能付きの携帯端末装置が広く使用されている。
【０００３】
ＴＶ電話機能付きの携帯端末装置の構成を図１２に示す。携帯端末装置５０の上部筐体表面のモニタ画面５１の近傍にカメラ装置５２が、上部筐体の裏面にカメラ装置５３が設けられており、ＴＶ電話機能を利用して通話する際には相手の撮影する映像をモニタ画面５１で表示し、同時に自端末のカメラ装置５２、５３で撮影した映像を送信して通話する。
【０００４】
したがって、ＴＶ電話機能を利用する際には、図１３（Ａ）に示すような携帯端末装置の受話口を耳に当て、送話口を口に当てた状態（以下、『通常ポジション』）ではなく、図１３（Ｂ）に示すようなモニタ画面が視認できる位置に携帯端末装置をもってきた状態（以下、『モニタリングポジション』）で通話することになる。
【０００５】
このようなＴＶ電話機能は、通話者の顔や全体像などを相手と相互にやり取りする場合のみならず、例えば、道案内の場合などにも使用することができる。
【０００６】
しかし、上記の携帯端末装置５０においてＴＶ電話機能を道案内などの目的で使用する場合には、次の問題点が生じる。
【０００７】
１つ目の問題点は、モニタリングポジションでの通話となるため、携帯端末装置の受話口・送話口とユーザの耳・口とが離れてしまい、通常ポジションの通話よりも音声の出入力を大きくしないとならないことである。イヤホンマイクやヘッドセット等を利用すればこの点については解決できるが、わざわざイヤホンマイクを別個に用意するのは手間がかかる。
【０００８】
また、２つ目の問題点は、モニタリングポジションでの通話ゆえ、通話者（道案内を受ける側）の視線が携帯端末装置のモニタ画面５１に向けられてしまうことである。この場合、通話者の視野は狭まってしまうので、注意力が散漫になり移動中に事故が生じるおそれがある。また、道案内時には携帯端末装置の裏面に設けられたカメラ装置５３で周囲の映像を撮影するので、通話者は裏面のカメラ装置５３の撮影方向を考慮して携帯端末装置を持つ必要があり煩わしい。
【０００９】
上記例示した道案内の手段としてＴＶ電話通信を使用する場合には、相手方の映像は重要ではなく通話者側の映像が重要となるので、モニタリングポジションではなく通常ポジションでＴＶ通信を行っても不都合はない。上記のような問題点は、モニタリングポジションでＴＶ電話通信を行っているゆえ生じる問題であるので、モニタリングポジションではなく通常ポジションでＴＶ電話通信を行えば上記問題点を解決することができるように思える。
【００１０】
しかし、図１２のような携帯端末装置で通常ポジションでの通話を行うと、上部筐体の裏面に設けたカメラ装置５３は通話者視野の横方向を撮影し、表面に設けたカメラ装置５２は通話者の耳元あたりを撮影してしまうので、望みの映像であるユーザ視点での映像を取ることができない。
【００１１】
カメラ付き携帯端末装置に関する技術としては、ＴＰＯに合わせてカメラ部を容易に選択使用できユーザの多様性に柔軟に対応できる携帯情報端末（特許文献１参照）や、カメラを正面配置あるいは回転や取り外しを可能とするカメラユニットを配設した携帯端末装置が開示されているが、いずれの技術も上記問題点を解決する提案をしていない。
【特許文献１】特開２０００−２５３１１８号公報
【特許文献２】特開２００３−３０９６３４号公報
【発明の開示】
【発明が解決しようとする課題】
【００１２】
本発明は上記の問題点に鑑みてなされたものであり、通常ポジションにおいて、ユーザの所望する映像を撮影してＴＶ電話通信を行うことのできる携帯端末装置を提供することを目的とする。
【課題を解決するための手段】
【００１３】
本発明にかかる携帯端末装置は、
受話口を少なくとも設けた筐体に、画像を撮影する撮影手段を設けた携帯端末装置であって、
前記撮影手段は、
前記筐体の側面で、前記受話口と略同一の高さにある箇所に、
前記筐体の側面の長手方向と平行な回動軸を中心として回動可能に、且つ、前記回動軸と前記撮影手段とのなす角度が変更可能に設けられており、
前記撮影手段は、前記筐体の側面の長手方向と平行な回動軸を有する円柱形状の回転台の上面に設けられた可変台の上面に取り付けられており、
前記回転台の下面には、前記回転台の半径よりも大きい半径の支持部を有し、
前記筐体には、前記回転台の半径と略同一の半径の開口が設けられており、前記開口が設けられた筐体内に前記支持部が嵌め込まれて、前記開口から前記回転台が突出し、前記回転台が前記回動軸を中心として回動可能になることで、前記撮像手段が前記回動軸を中心として回動可能になり、
前記可変台が１組の向かい合う辺の中点を結んだ軸により前記回転台に揺動可能に軸支され、前記可変台が前記軸を中心として揺動可能になることで、前記回動軸と前記撮影手段とのなす角度が変更可能になることを特徴とする。
【００１４】
本発明にかかる携帯端末装置は、
受話口を少なくとも設けた筐体に、画像を撮影する撮影手段を設けた携帯端末装置であって、
前記撮影手段は、
前記筐体の側面で、前記受話口と略同一の高さにある箇所に、
前記筐体の側面の長手方向と平行な回動軸を中心として回動可能に、且つ、前記回動軸と前記撮影手段とのなす角度が変更可能に設けられており、
前記撮影手段は、前記筐体の側面の長手方向と平行な回動軸を有する円柱形状の回転台の上面に設けられた支持板に取り付けられており、
前記回転台の下面には、前記回転台の半径よりも大きい半径の支持部を有し、
前記筐体には、前記回転台の半径と略同一の半径の開口が設けられており、前記開口が設けられた筐体内に前記支持部が嵌め込まれて、前記開口から前記回転台が突出し、前記回転台が前記回動軸を中心として回動可能になることで、前記撮像手段が前記回動軸を中心として回動可能になり、
前記支持板が前記撮像手段の両端を支持し、該支持した両端を回転軸として前記撮像手段が回動可能になることで、前記回動軸と前記撮影手段とのなす角度が変更可能になることを特徴とする。
【発明の効果】
【００２２】
本発明の携帯端末装置は、カメラ装置の撮影方向・撮影角度を変更することができるので、通常ポジションにおいてＴＶ電話通信を行う場合に、ユーザが所望する、ユーザの視線と略同一の映像を撮影することが可能となる。
【発明を実施するための最良の形態】
【００２３】
以下、本発明の携帯端末装置を、実施の形態に即して説明する。
【００２４】
なお、以下の説明において、携帯端末装置の受話口、送話口がある面を『表面』、表面の真裏に当たる面を『裏面』と定義する。また、受話口がある側を上とし、送話口がある側を下と定義し、表面と裏面を結ぶ面のうち携帯端末装置の上下方向にかかる面を『側面』と定義する。また、表面と裏面を結ぶ面のうち携帯端末装置の上方向を向く面を『上面』、表面と裏面を結ぶ面のうち携帯端末装置の下方向を向く面を『下面』と定義する。
【００２５】
＜携帯端末装置の外部構成＞
まず、図１を参照して本実施形態の携帯端末装置の外部構成について説明する。図１は、本実施形態の携帯端末装置１０を、表面方向、裏面方向、側面方向、上面方向、の４つの方向から見たものを示す。
【００２６】
本実施形態の携帯端末装置１０は、上部筐体１１と、下部筐体１２と、がヒンジ部１３により機械的に接続された、いわゆる「折り畳み型携帯端末」であり、液晶ディスプレイ１４と、カメラ装置１５と、回転台１６と、受話口１７と、送話口１８と、入力キー群１９と、アンテナ２０と、着信スピーカ２１と、バッテリ２２と、を有する。
【００２７】
液晶ディスプレイ１４は、上部筐体１１の表面に設けられており、待ち受け画面や現在の端末状態、メッセージ、入力データなどを表示する。また、ＴＶ電話通信時には、相手端末から送られてきた映像を表示する。
【００２８】
撮影手段としてのカメラ装置１５は、円柱状のカメラであり、ＣＣＤ（Charge Coupled Device／電荷結合素子）やレンズ、フォトライト等から成り、静止画像や動画像を撮影する。また、ＴＶ電話通信時に相手端末に送信するための映像を撮影する。
【００２９】
なお、カメラ装置１５は、表面側から見て上部筐体１１の右上角を刳り貫いて形成された空間に収まるように取り付けられている。
【００３０】
取付台としての回転台１６は、カメラ装置１５が取り付けられる台である。回転台１６は円柱体形状で、その円周面には等間隔に溝が形成されており、ダイヤル形状となっている。
【００３１】
該回転台１６は、上部筐体１１の右上角を刳り貫いて形成された空間の底面、すなわち刳り貫いて形成された空間を形成する面のうち上部筐体１１の上面と平行な面に、中心軸を中心として回転が可能に取り付けられている。すなわち、この中心軸は、上部筐体１１側面の長手方向に向かう線と平行関係に立つ。
【００３２】
受話口１７は、上部筐体１１の表面上側に設けられたスピーカであり、通話相手の声を出力する。送話口１８は、下部筐体１２の表面下側に設けられたマイクであり、通話時にユーザの声を受け付ける。なお、通常ポジションでの通話時には、ユーザは、携帯端末装置１０を、受話口１７を耳に当て、送話口１８を口に当てた状態で持つことになる。
【００３３】
入力キー群１９は、下部筐体１２の表面に設けられた入力キーの集合体であり、携帯端末装置１０へのキー入力、コマンド入力を受け付ける。アンテナ２０は、無線通信網を介した無線通信を可能とするためのアンテナであり、上部筐体１１の上面に設けられている。着信スピーカ２１は、上部筐体１１の裏面に設けられたスピーカであり、着信音や各種アラーム音を出力する。バッテリ２２は、下部筐体１２の裏面に設けられた充電可能な蓄電池であり、携帯端末装置１０の駆動源となる。
【００３４】
＜カメラ装置＞
次に、図２を参照して、カメラ装置１５の構成について詳述する。図２は、本実施形態のカメラ装置１５の構成を示すものであり、（Ａ）は斜視図、（Ｂ）は側面図、（Ｃ）は上面図を示す。
【００３５】
カメラ装置１５は、プラスチック樹脂あるいは金属材料から形成された円柱状の装置筐体を有し、該装置筐体の円周面に設けられた開口にレンズ２３を嵌合させた外形構造を持つ。
【００３６】
なお、レンズ２３は、図２（Ｂ）、（Ｃ）に示すように、レンズ２３により撮影する方向（レンズ２３の焦点方向）の延長線が、円柱状の装置筐体の中心軸Ｌと直交するように嵌合される。
【００３７】
＜回転台＞
次に、図３を参照して、回転台１６の構成について詳述する。図３は、本実施形態の回転台１６の構成を示す。
【００３８】
回転台１６は、図３に示すように、高さの低い円柱体形状であり、その下面には、円柱体部分よりも半径の大きい支持部２４が形成されている。
【００３９】
支持部２４は、図４の（Ａ）に示す携帯端末装置１０の上部筐体１１に設けられた、回転台取り付け用の開口２５に、回転台１６を回動可能に取り付ける際に必要となる構成である。なお、該開口２５は、回転台１６の円柱体部分の半径と同一のサイズの円形開口である。
【００４０】
帯端末装置１０の組み立ての段階において、図４（Ｂ）に示すように、回転台１６を上部筐体１１の内側から該開口２５に嵌め込み、支持部２４を下から担持する。このように構成することにより、回転台１６は、上部筐体１１に対し、円柱体部分の中心軸Ｍを中心に回動可能となる。
【００４１】
なお、回転台１６は、携帯端末装置１０の表面方向、裏面方向、側面方向にカメラレンズを向けることができる程度、すなわち側面方向を基準に＋１２０°〜−１２０°程度で回動可能となっている。
【００４２】
また、回転台１６の円柱体部分の円周面には、等間隔に溝が形成され、ダイヤル形状となっている。これは、携帯端末装置１０のユーザが回転台１６を回転させるのを容易にするための構成である。
【００４３】
また、回転台１６の上面には、支持板としての角度可変台２６が設けられている。図５は、角度可変台２６を示すものであり、（Ａ）は側面図を、（Ｂ）は上面図を示す。
【００４４】
角度可変台２６は、図５（Ｃ）に示すように。１組の向かい合う辺の中点を結んだ軸である固定軸Ｎを中心として揺動する。本実施形態においては、角度可変台２６は、回転台１６の上面に設けられた凹部に、１組の向かい合う辺の中点を結んだ軸（固定軸Ｎ）で軸支されているので、固定軸Ｎを中心として揺動可能となっている。
【００４５】
本実施形態においては、固定軸Ｎと回転台１６の中心軸Ｍとが直交するように、角度可変台２６の位置決めがされている。
【００４６】
なお、上記説明した、回転台１６及び角度可変台２６は、外部からの力（ユーザの手動）によっても回動、揺動するし、また、装置内部の動力によっても回動、揺動する。回転台１６の近傍、角度可変台２６の近傍には、動力源となるモータや駆動伝達を行うギアなどの動力系が構成されており、該動力系により、回動、揺動する。
【００４７】
＜カメラ装置と回転台＞
次に、図６を参照して、カメラ装置１５と回転台１６との接合について説明する。図６は、カメラ装置１５と回転台１６とを接合した状態を示すものであり、（Ａ）は斜視図、（Ｂ）は側面図、（Ｃ）は上面図を示す。
【００４８】
図６（Ｂ）に示すように、カメラ装置１５は、回転台１６の上面に設けられている角度可変台２６の上に、カメラ装置１５の中心軸Ｌと、回転台１６の中心軸Ｍと、が一致するように取り付けられている。このように、カメラ装置１５は、回転台１６の上に取り付けられているので、回転台１６を回動させることでカメラ装置１５の撮影する方向を変えることが可能となっている。
【００４９】
また、図６（Ｃ）に示すように、カメラ装置１５は、回転台１６の上面に設けられている角度可変台２６の上に、レンズ２３により撮影する方向（レンズ２３の焦点方向）の延長線と角度可変台２６の固定軸Ｎとが形成する角が直角となるように取り付けられている。このように取り付けることにより、図７に示すように、角度可変台２６の揺動によって、レンズ２３により撮影する方向の上下角度を変えること、別の観点からいえば、回動軸である回転台１６の中心軸Ｍと撮影手段であるカメラ装置の撮影方向（レンズ２３の焦点方向）とがなす角度θを変えることが可能となっている。
【００５０】
このように、本実施形態の携帯端末装置１０は、カメラ装置１５の撮影する方向を、回転台１６を回動させることで、カメラ装置が撮影する方向の上下角度を、角度可変台２６を揺動させることで変えることができる。
【００５１】
＜カメラ装置の配置位置＞
次に、カメラ装置１５及び回転台１６の配置位置について説明する。
【００５２】
本実施形態の携帯端末装置１０は、上部筐体１１の右上角を刳り貫いて設けた空間に、カメラ装置１５と受話口１７とが略同じ高さとなるように、カメラ装置１５及び回転台１６を設けている。
【００５３】
一般に、ユーザである人間の耳の位置と目の位置は顔の同じ高さにあり、携帯端末装置を通常ポジションで使用する場合には、受話口を耳に当て、送話口を口に当てた状態で持つことになることから、本実施形態では、受話口１７と同じ高さにカメラ装置１５及び回転台１６を配置している。このような位置に配置することにより、カメラ位置が必然的にユーザ視点と同じ高さになるので、通常ポジションでのＴＶ電話通信時における最適なカメラ位置を実現することができる。
【００５４】
また、本実施形態の携帯端末装置１０は、上記のように、回転台１６の回動、角度可変台２６の揺動によりカメラ装置１５のレンズ２３が撮影する方向、撮影する方向の上下角度を変更することが可能であるので、回転台１６を回動しカメラ装置１５が携帯端末装置１０の側面方向を向くように、且つ、角度可変台２６を揺動し、水平方向を撮影するように調整することで、通常ポジションでのＴＶ電話通信時に、ユーザの視点と同じ映像を撮影することができる。
【００５５】
なお、上部筐体１１の右上角を刳り貫いて形成した空間は、カメラ装置１５及び回転台１６がちょうど収まるサイズとなっている。よって、カメラ装置１５が上部筐体１１からはみ出したり突起を形成したりしないので、ポケットやカバンにしまう際に引っ掛かってしまうことがない。また、デザイン的にも遜色が少ない。
【００５６】
＜携帯端末装置の内部構成＞
次に、図８を参照して本実施形態の携帯端末装置１０の内部構成について説明する。図８は、本実施形態の携帯端末装置１０の内部構成を示す。
【００５７】
本実施形態の携帯端末装置１０は、ＣＰＵ３１と、無線通信部３２と、通話制御部３３と、キー入力検出部３４と、液晶制御部３５と、スピーカ制御部３６と、カメラ装置制御部３７と、カメラ位置制御部３８と、から構成される。
【００５８】
ＣＰＵ（Central Processing Unit）３１は、携帯端末１０の制御を行う中央演算処理部である。無線通信部３２は、携帯端末装置１０の無線通信を実行する。通話制御部３３は、送話口１８から入力されたユーザの声を電気信号に変換する変換処理や、送られてきた相手方の音声信号を変換し受話口１７から出力する出力処理を行う。キー入力検出部３４は、ユーザが入力キー群１９を介して入力したキー入力・コマンド入力を検出する。
【００５９】
液晶制御部３５は、液晶ディスプレイ１４に表示する画像やメッセージの制御処理を行う。スピーカ制御部３６は、着信スピーカ２１による着信音や各種アラーム音の出力制御を行う。カメラ装置制御部３７は、カメラ装置１５による撮像・撮影処理の制御を行う。
【００６０】
カメラ位置制御部３８は、カメラ装置１５の向きの制御、すなわちカメラ装置１５が撮影する方向の調整・制御を行う。具体的には、回転台１６を回動制御することによるカメラ装置１５の撮影方向の調整や、角度可変台２６の揺動制御することによるカメラ装置１５の撮影方向の上下角度の調整を行う。
【００６１】
なお、カメラ位置制御部３８は、水平検出センサ３９と、加速度センサ４０と接続されており、該センサの検出信号に基づいて、カメラ装置１５の調整制御を行う。具体的には、水平検出センサ３９により検出された信号に基づいてカメラ装置１５が水平方向を撮影するように角度可変台２６を揺動制御する。また、加速度センサ４０により検出された信号に基づいて一点凝視機能（携帯端末装置１０の向きが変わってもカメラ装置１５が設定された一方向を向くように自動補正する機能）実行時のカメラ装置１５の撮影方向が一定となるように回転台１６を回動制御する。
【００６２】
また、カメラ位置制御部３８は、カメラ位置メモリ４１と接続されている。カメラ位置メモリ４１は、ユーザの任意のカメラ装置１５の方向、角度設定を記憶するメモリである。
【００６３】
＜カメラ装置の撮影方向調整＞
カメラ装置１２の撮影方向の調整、制御方法について説明する。撮影方向、撮影角度の調整は、ユーザの手動によっても、携帯端末装置１０の内部制御によっても行うことができる。
【００６４】
ユーザ手動による調整は、ユーザの手によりカメラ装置１５の撮影方向を調整する。すなわち、回転台１６のダイヤルを調整することで回転台１６を回動しカメラ装置１５のレンズ２３が側面方向を向くように、且つ、角度可変台２６を揺動し撮影方向の上下角度が水平となるように調整する。
【００６５】
また、内部制御による調整は、例えば、通常ポジションでのＴＶ電話通信の開始用のスイッチの押下などをトリガとして、回転台１６を回動させカメラ装置１５のレンズ２３が側面方向を向くように、且つ、水平検出センサ３９からの信号に基づいて角度可変台２６を揺動制御し、撮影方向の上下角度が水平となるように調整する。
【００６６】
このように調整することにより、通常ポジションでの通話時において、カメラ装置１５が撮影する画像は、ユーザの視線・視界とほぼ同値の画像となる。
【００６７】
なお、ユーザ任意のカメラ装置１５の撮影方向を、カメラ位置メモリ４１において記憶し、通常ポジションでのＴＶ電話通信の開始用のスイッチを押下したときには、該メモリ４１に記憶したカメラ装置１５の撮影方向を再現するように、回転台１６、角度可変台２６を回動、揺動制御してもよい。
【００６８】
＜本実施形態の携帯端末装置の効果＞
本実施形態の携帯端末装置１０により、ＴＶ電話通信を通常ポジションで行う場合に、回転台１６を回動することにより、カメラ装置１５の撮影方向を携帯端末装置１０の変更することができ、且つ、角度可変台２６を揺動することにより、撮影方向の上下角度を変更することができるので、例えば通常ポジションでのＴＶ電話通信において、ユーザの正面方向を撮影することが可能となる。
【００６９】
また、カメラ装置１５を受話口１７と同程度の高さに設けているため、通常ポジションでのカメラ装置１５の位置がユーザの目の高さとほぼ同じになる。よって、撮影画像としてユーザの視界・視線と同じものを相手端末側に送信することができるので、例えば、道案内時などにおいて有利となる。
【００７０】
また、回転台１６を回動しカメラ装置１５を携帯端末装置１０の表面方向に向ければ、通話者の顔や全体像などを相手と相互にやり取りするモニタリングポジションでの通話を行うことができる。また、回転台を回転させてカメラ装置を携帯端末装置１０の裏面方向に向ければ、液晶ディスプレイ１１でカメラ画像を確認しつつ、静止画や動画の撮影を行うことができる。
【００７１】
また、本発明の携帯端末装置１０の副次的な効果として、カメラ装置１５の撮影方向を任意に変更することができるため、端末の置き方に左右されずセルフタイマー撮影などの接地撮影を行うことができる。同様に、携帯端末装置１０をクレードルなどの卓上設置装置に固定接続した場合においても、カメラ位置を気にすることなくＴＶ電話機能等を使用することが可能となる。
【００７２】
また、カメラ装置１５が携帯端末装置１０の上部筐体１１を刳り貫いた空間に収まるように構成しているので、携帯端末装置１０に大きな突起がなく、ポケットやカバンにしまう際に引っ掛かってしまうことがない。また、デザイン的にも遜色が少ない。
【００７３】
＜変形実施形態＞
なお、上記の実施形態の説明においては、カメラ装置１５及び回転台１６を、上部筐体１１の右上角を刳り貫いて形成した空間に配置しているが（図１参照）、本発明の携帯端末装置１０は、ユーザと同一視点を得るために受話口１７と同じ高さにカメラ装置１５が設けられていればよいので、図９に示すように、携帯端末装置１０の側面をコの字型に刳り貫いた空間にカメラ装置１０を設けた構成であってもかまわない。
【００７４】
また、上記の実施形態の説明においては、カメラ装置１５を回転台１６に設けた角度可変台２６に取り付け、該角度可変台２６において撮影方向の上下角度を調整する構成としているが、このような構成に限らず、例えば、図１０に示すような構成であってよい。
【００７５】
図１０は、角度可変台２６をなくし、代わりにカメラ支持板２７を設けた構成となっている。カメラ支持板２７は、回転台１６の上面に対し垂直に設けられた柱体であり、カメラ装置１５の円周面の両端を１箇所の固定軸２８で回動可能に支持する。よって、該固定軸２８を中心にカメラ装置１５を回動制御できるので、角度可変台１６と同様にカメラ装置１５の撮影方向の上下角度を調整制御することが可能となる。
【００７６】
＜追加の実施形態＞
なお、上記の携帯端末装置１０に、携帯端末装置１０の撮影方向、撮影角度を内部制御で変更することのできる機能を用いて、遠隔操作により携帯端末装置１０の周囲の様子を撮影する機能を付与してもよい。
【００７７】
遠隔操作機能について、図１１を参照して説明する。図１１、遠隔操作のフローを示す。
【００７８】
ユーザが携帯端末装置１０をなくしてしまった場合には、まず、ユーザが当該携帯端末装置１０にダイヤルすることで通常通りにアクセスする（ステップＳ１）。この際に予め設定しておいた暗証番号を入力する（ステップＳ２）。携帯端末装置１０のＣＰＵ３１は、入力された暗証番号が予め登録されていたものと同一であると判断した場合には（ステップＳ３／Ｙｅｓ）、本アクセス以外の通信をシャットアウトし、オフラインモードに移行する（ステップＳ４）。なお、暗証番号が違う場合には（ステップＳ３／Ｎｏ）、ステップＳ１に戻る。
【００７９】
ついで、ＣＰＵ３１は、カメラ位置制御部３８を制御して回転台１６、角度可変台２６を回動制御、揺動制御することでカメラ装置１５の撮影方向を調整し、カメラ装置制御部３７を制御してカメラ装置１２により周囲の映像を撮影し（ステップＳ５）、該画像をリアルタイムでユーザに送信する（ステップＳ６）。なお、この際、カメラ装置１５の撮影方向をスライドさせ、携帯端末装置１０の周囲の映像をまんべんなく撮影する。
【００８０】
このように構成することにより、携帯端末装置１０を紛失した場合でも、その紛失場所の特定を行うことが可能となる。また、カメラ装置１５の撮影方向を変えることが可能であるので、例えば、カメラ装置が固定された携帯端末装置などで発生しうるカメラ装置が地面を接写しているために、周囲の映像を撮影できないと言った不都合を回避することができる。
【００８１】
なお、カメラ装置１５の撮影方向・撮影角度は、ユーザ側から調整できるようにするとなお良い。具体的には、ユーザ側からの入力コマンドを受信し、これを参照してカメラ位置制御部３８が回転台１６、角度可変台２６を調整して、撮影方向・撮影角度を変更する。このように構成することにより、ユーザの所望する方向・角度の周囲映像を撮影することができるので、紛失場所の特定などに資することができる。
【００８２】
また、上記の携帯端末装置１０に、例えばスピードフォトメール機能（音声通話中に通信相手に対して撮影した撮影画像を送る機能）を付与しても良い。このように構成することにより、通常の音声通話をしている場合にカメラ装置１５の位置をユーザ視線とほぼ同値になるように設定しておけばユーザ視線での画像を瞬時にメールすることが可能となる。
【００８３】
＜付記事項＞
なお、上述の実施形態は本発明の好適な実施形態の一例を示すものにすぎず、本発明の実施の形態を限定する趣旨のものではない。よって、本発明は上述の実施形態に限定されることはなく、その要旨を逸脱しない範囲内において種々の変形実施を行うことが可能である。例えば、上記の説明においては、携帯端末装置として、上部筐体と下部筐体とがヒンジ部により機械的に接続された「折り畳み型」のものを用いているが、折り畳み型に限られるものではなく、直線型の携帯端末装置や、スライド型の携帯端末装置であっても良い。
【図面の簡単な説明】
【００８４】
【図１】本実施形態の携帯端末装置の外部構成を説明するための図である。
【図２】カメラ装置を説明するための図である。
【図３】回転台を説明するための図である。
【図４】上部筐体への回転台の取り付けを説明するための図である。
【図５】角度可変台を説明するための図である。
【図６】カメラ装置を回転台に取り付けた状態を説明するための図である。
【図７】カメラ装置の揺することによる撮影角度の変更を説明するための図である。
【図８】本実施形態の携帯端末装置の内部構成を説明するための図である
【図９】別構成の携帯端末装置の外部構成を説明するための図である。
【図１０】別構成のカメラ装置及び回転台を説明するための図である。
【図１１】遠隔操作の実行フロー図である。
【図１２】従来の携帯端末装置を説明するための図である。
【図１３】通話時の携帯端末装置のポジションを説明するための図である。
【符号の説明】
【００８５】
１０    携帯端末装置
１１    上部筐体
１５    カメラ装置
１６    回転台
１７    受話口
２６    角度可変台
３８    カメラ位置制御部
【図１】
0004513695.tif 000002
【図２】
0004513695.tif 000003
【図３】
0004513695.tif 000004
【図４】
0004513695.tif 000005
【図５】
0004513695.tif 000006
【図６】
0004513695.tif 000007
【図７】
0004513695.tif 000008
【図８】
0004513695.tif 000009
【図９】
0004513695.tif 000010
【図１０】
0004513695.tif 000011
【図１１】
0004513695.tif 000012
【図１２】
0004513695.tif 000013
【図１３】
0004513695.tif 000014